(57)【要約】【課題】  電気機器の、静電気からの保護を簡易な構成で実現できるレンズ鏡胴ユニットおよび撮影装置を提供する。【解決手段】  レンズを内蔵し、内部を被写体光が通過するレンズ鏡胴、レンズ鏡胴に内蔵された電気機器、および、グランド電位が付与されるグランド線とグランド電位以外の電位が付与される非グランド線とを有し、レンズ鏡胴内の内壁に沿って、被写体光の通過領域を避けてレンズ鏡胴の根元から電気機器まで延設された、絶縁体で被覆されグランド線の一部は絶縁体から露出しその露出した露出部が内壁に非固定となっているケーブルを備え、露出部は、非グランド線が電気機器と接続された接合部の近傍にあって、かつ接合部よりもレンズ鏡胴の外周寄りに配置されていることを特徴とする。【選択図】        図４
2008209428.tif 000002
【特許請求の範囲】
【請求項１】
レンズを内蔵し、内部を被写体光が通過するレンズ鏡胴、
前記レンズ鏡胴に内蔵された電気機器、および
グランド電位が付与されるグランド線とグランド電位以外の電位が付与される非グランド線とを有し、前記レンズ鏡胴内の内壁に沿って、前記被写体光の通過領域を避けて該レンズ鏡胴の根元から前記電気機器まで延設された、絶縁体で被覆され前記グランド線の一部は該絶縁体から露出しその露出した露出部が該内壁に非固定となっているケーブルを備え、
前記露出部は、前記非グランド線が前記電気機器と接続された接合部の近傍にあって、かつ該接合部よりも前記レンズ鏡胴の外周寄りに配置されていることを特徴とするレンズ
鏡胴ユニット。
【請求項２】
前記レンズ鏡胴は、金属製のカバーが取り付けられたものであって、
前記露出部が、前記接合部よりも前記カバーの近傍に配置されていることを特徴とする請求項１記載のレンズ鏡胴ユニット。
【請求項３】
前記電気機器が、前記被写体光の遮断が自在なシャッタを駆動するアクチュエータであることを特徴とする請求項１記載のレンズ鏡胴ユニット。
【請求項４】
前記レンズ鏡胴が、内部を被写体光が通過する、口径順に係合された複数の円筒を有する、互いに係合された２つの円筒のうち小さな方の円筒が大きな方の円筒内に収納自在な、前記複数の円筒のうちの少なくとも１つの円筒の端縁に金属製のカバーが取り付けられたものであり、相対的に筒長の長い撮影状態と相対的に筒長の短い収納状態との間で伸縮自在なものであって、
前記ケーブルは、前記収納状態にある場合よりも前記撮影状態にある場合の方が前記露出部が前記カバーに接近するものであることを特徴とする請求項１記載のレンズ鏡胴ユニット。
【請求項５】
光を結像させる結像面を有し、レンズを通過してきた被写体光を該結像面で結像させる撮影を行う撮影装置において、
筐体、
前記筐体前面に備えられ、前記レンズを内蔵し、内部を前記被写体光が通過するレンズ鏡胴、
前記レンズ鏡胴に内蔵された電気機器、
グランド電位が付与されるグランド線とグランド電位以外の電位が付与される非グランド線とを有し、前記レンズ鏡胴内の内壁に沿って、前記被写体光の通過領域を避けて該レンズ鏡胴の根元から前記電気機器まで延設された、絶縁体で被覆され前記グランド線の一部は該絶縁体から露出しその露出した露出部が該内壁に非固定となっているケーブル、および
前記ケーブルの、前記電気機器が接続された一端とは反対側の他端に接続された、前記筐体内に配備された第２の電気機器を備え、
前記露出部は、前記非グランド線が前記電気機器と接続された接合部の近傍にあって、かつ該接合部よりも前記レンズ鏡胴の外周寄りに配置されていることを特徴とする撮影装置。
【発明の詳細な説明】
【技術分野】
【０００１】
本発明は、レンズを内蔵し、内部を被写体光が通過するレンズ鏡胴ユニット、および、このレンズ鏡胴ユニットを備えた撮影装置に関する。
【背景技術】
【０００２】
従来より、合成樹脂製の複数の円筒が口径順に係合され、互いに係合された２つの円筒のうち小さな方の円筒が大きな方の円筒内に収納自在のレンズ鏡胴を、筐体の前面から沈胴自在に突出させる撮影装置が知られており、そのようなレンズ鏡胴には、シャッターユニットが内蔵され、円筒の前面周縁部分等に金属製のカバーが嵌着されているものがある。
【０００３】
この金属製のカバーは、レンズ鏡胴が傷付くことを防ぐ他、レンズ鏡胴のアクセサリとしても用いられている。
【０００４】
ところで、この様なレンズ鏡胴を備えた撮影装置では、レンズ鏡胴に内蔵されたシャッターユニットと筐体内部とはフレキシブルケーブルで電気的に繋がれており、この金属製のカバーに、例えば静電気を帯びた人体が接触したりすると、シャッタユニットとフレキシブルケーブルとを半田で接合した接合部に対する静電気放電がこの金属カバーを介して起こる可能性がある。この静電気放電が起こると、このフレキシブルケーブルには大電流が流れ込み、筐体内に収容されているＣＰＵ等の電気機器が破壊されるおそれがある。
【０００５】
そこで、レンズ鏡胴内のシャッターユニットと筐体内の電気機器とを接続するフレキシブルケーブルの、レンズ鏡胴内に固定されている所定部分のうちのグランド線の部分に導電性中継部材を半田付けし、また、所定の金属製カバーに接触させた導電性接触部材をこの導電性中継部材にも接触させることで金属製のカバーを介して流れ込んでくる大電流をグランド線に送り込み、静電気から撮影装置本体内の電気機器を保護する提案がなされている。
【特許文献１】特開２００２−３５７７５７号公報
【発明の開示】
【発明が解決しようとする課題】
【０００６】
しかしながら、上記提案では、部品点数が多く、構造が複雑という問題がある。
【０００７】
尚、上記問題は、円筒に金属製のカバーが嵌着されているレンズ鏡胴にのみ発生するものではなく、金属製のカバーが嵌着されていない円筒からなるレンズ鏡胴においても発生し得る問題であり、また、筐体の前面に固定的に備えられているレンズ鏡胴においても、さらには、内部にシャッタユニット以外の電気機器が内蔵されているレンズ鏡胴においても同様に発生し得る問題である。
【０００８】
本発明は、上記事情に鑑み、電気機器の、静電気からの保護を簡易な構成で実現できるレンズ鏡胴ユニットおよび撮影装置を提供することを目的とする。
【課題を解決するための手段】
【０００９】
上記目的を達成するための本発明のレンズ鏡胴ユニットは、
レンズを内蔵し、内部を被写体光が通過するレンズ鏡胴、
上記レンズ鏡胴に内蔵された電気機器、および
グランド電位が付与されるグランド線とグランド電位以外の電位が付与される非グランド線とを有し、上記レンズ鏡胴内の内壁に沿って、上記被写体光の通過領域を避けてこのレンズ鏡胴の根元から上記電気機器まで延設された、絶縁体で被覆され上記グランド線の一部はこの絶縁体から露出しその露出した露出部がこの内壁に非固定となっているケーブルを備え、
上記露出部は、上記非グランド線が上記電気機器と接続された接合部の近傍にあって、かつこの接合部よりも上記レンズ鏡胴の外周寄りに配置されていることを特徴とする。
【００１０】
本発明のレンズ鏡胴ユニットでは、露出部が、レンズ鏡胴の内壁に対して非固定の部分であって、接合部よりもレンズ鏡胴の外周寄りに配置されており、これにより、外部の帯電物体とレンズ鏡胴との間で発生した放電による大電流は、電気機器と接続された接合部ではなく、露出部を通じてグランド線に送り込まれる。つまり、本発明のレンズ鏡胴ユニットでは、露出部を接合部よりもレンズ鏡胴の外周寄りに配置するという簡易な手段で、外部の帯電物体とレンズ鏡胴との間で発生した放電による大電流をグランド線に送り込むことができる。したがって、本発明のレンズ鏡胴ユニットによれば、このレンズ鏡胴ユニットを備える撮影装置の本体内部の電気機器を簡易な構成で静電気から保護することができる。
【００１１】
ここで、本発明のレンズ鏡胴ユニットの電気機器が、上記被写体光の遮断が自在なシャッタを駆動するアクチュエータであってもよい。
【００１２】
また、本発明のレンズ鏡胴ユニットのレンズ鏡胴は、金属製のカバーが取り付けられたものであって、上記露出部が、上記接合部よりも上記カバーの近傍に配置されていることが好ましく、また、本発明のレンズ鏡胴ユニットのレンズ鏡胴は、内部を被写体光が通過する、口径順に係合された複数の円筒を有する、互いに係合された２つの円筒のうち小さな方の円筒が大きな方の円筒内に収納自在な、上記複数の円筒のうちの少なくとも１つの円筒の端縁に金属製のカバーが取り付けられたものであり、相対的に筒長の長い撮影状態と相対的に筒長の短い収納状態との間で伸縮自在なものであって、上記ケーブルは、上記収納状態にある場合よりも上記撮影状態にある場合の方が上記露出部が上記カバーに接近するものであることが好ましい。
【００１３】
この様にすると、外部の帯電物体とレンズ鏡胴との間で発生した放電による大電流をより確実にグランド線に送り込むことができる。
【００１４】
上記目的を達成するための本発明の撮影装置は、
光を結像させる結像面を有し、レンズを通過してきた被写体光をこの結像面で結像させる撮影を行う撮影装置において、
筐体、
上記筐体前面に備えられ、上記レンズを内蔵し内部を上記被写体光が通過するレンズ鏡胴、
上記レンズ鏡胴に内蔵された電気機器、
グランド電位が付与されるグランド線とグランド電位以外の電位が付与される非グランド線とを有し、上記レンズ鏡胴内の内壁に沿って、上記被写体光の通過領域を避けてこのレンズ鏡胴の根元から上記電気機器まで延設された、絶縁体で被覆され上記グランド線の一部はこの絶縁体から露出しその露出した露出部がこの内壁に非固定となっているケーブル、および
上記ケーブルの、上記電気機器が接続された一端とは反対側の他端に接続された、上記筐体内に配備された第２の電気機器を備え、
上記露出部は、上記非グランド線が上記電気機器と接続された接合部の近傍にあって、かつこの接合部よりも上記レンズ鏡胴の外周寄りに配置されていることを特徴とする。
【００１５】
本発明の撮影装置では、ケーブルのグランド線の一部を露出させた露出部を接合部よりもレンズ鏡胴の外周寄りに配置するという簡易な手段で、外部の帯電物体とレンズ鏡胴との間で発生した放電による大電流をグランド線に送り込むことができる。したがって、本発明の撮影装置によれば、撮影装置の電気機器を簡易な構成で静電気から保護することができる。
【発明の効果】
【００１６】
本発明によれば、電気機器の、静電気からの保護を簡易な構成で行うことができる。
【発明を実施するための最良の形態】
【００１７】
以下、本発明の撮影装置の実施形態について説明する。
【００１８】
図１、図２は、本発明のレンズ鏡胴ユニットの一実施形態を備えた、本発明の撮影装置の一実施形態の外観斜視図である。
【００１９】
図１には、本実施形態のカメラ１の、合成樹脂製の複数の円筒が口径順に係合され、互いに係合された２つの円筒のうち小さな方の円筒が大きな方の円筒内に収納自在のレンズ鏡胴１００が、カメラ筐体１０内に収納された収納状態にある様子が示されている。図２には、図１に示す、このカメラ１のレンズ鏡胴１００が最大繰出状態（望遠端）にある様子が示されている。尚、以下では、このカメラ１のレンズ鏡胴１００の、図１に示す収納状態から、一部の円筒が繰り出されたことで撮影が可能となった状態を最小繰出状態（広角端）と称して話を進める。
【００２０】
図１および図２に示すカメラ１のカメラ筐体１０の前面側に備えられたレンズ鏡胴１００には、３つのレンズ群が内蔵されており、このレンズ鏡胴１００では、これら３つのうちの前方２つのレンズ群を光軸に沿った方向に移動させることで画角調節が行なわれるとともに、最後尾のレンズ群を光軸に沿った方向に移動させることによりピント調節が行なわれる。
【００２１】
図１および図２に示すカメラ１の正面上部には、補助光発光窓１２およびファインダ対物窓１３が配置されている。また、このカメラ１の上面には、シャッタボタン１４が配置されている。
【００２２】
このカメラ１の、図示しない背面には、ズーム操作スイッチが配備されており、このズーム操作スイッチの一方を押すと、押し続けている間、レンズ鏡胴１００が望遠側に繰り出し、ズーム操作スイッチの他方を押すと、押し続けている間、レンズ鏡胴１００が広角側に移動する。
【００２３】
図３は、図１に示す収納状態にあるレンズ鏡胴の、光軸に沿う断面図である。
【００２４】
また、図４は、最小繰出状態（広角端）にあるレンズ鏡胴の、光軸に沿う断面図であり、図５は、最大繰出状態（望遠端）にあるレンズ鏡胴の、光軸に沿う断面図である。
【００２５】
このレンズ鏡胴１００には、第１レンズ群２０１と第２レンズ群２０２と第３レンズ群２０３とからなる撮影レンズ２００が備えられている。
【００２６】
また、このレンズ鏡胴１００は、図３に示す収納状態から円筒がある程度繰り出した、図４に示す最小繰出状態（広角端）と、図５に示す最大繰出状態（望遠端）との間で状態が遷移することで、そのレンズ鏡胴１００に備えられた撮像レンズ２００のうち第１レンズ群２０１および第２レンズ群２０２が光軸に沿った方向に移動する。これにより、画角が変化する。一方、ピント調整は、レンズ鏡胴１００の状態遷移とは独立して、撮像レンズ２００のうちの第３レンズ群２０３のみが光軸に沿った方向に移動することにより行なわれる。尚、このレンズ鏡胴１００の収納および繰出しのための機構の詳細については後述する。
【００２７】
また、このレンズ鏡胴１００には、撮影レンズ２００を構成する第１レンズ群２０１と第２レンズ群２０２との間にレンズシャッタ３００が配備されている。このレンズシャッタ３００には、開閉自在のシャッタ羽根を有するシャッタ機構部３０２を動作させるアクチュエータ３０１が備えられている。また、このレンズシャッタ３００には、図４に示すように、第２レンズ群２０２を保持する第２レンズ群保持枠２１２に、コイルバネ２１３で前方に付勢された状態に取り付けられており、収納時には、第１レンズ群２０１の保持枠に押されてコイルバネ２１３が縮み、レンズシャッタ３００が第２レンズ群側に移動するように構成されている。さらに、レンズシャッタ３００のアクチュエータ３０１には、カメラ筐体内のＣＰＵ５０９（図６参照）との電気的接続をとるための、絶縁材で被覆されたＦＦＣ（Ｆｌｅｘｉｂｌｅ  Ｆｌａｔ  Ｃａｂｌｅ）５００が半田５０３によって接続されている（以下、ＦＦＣ５００のこの接続部分を接合部５０２と称す。）。このＦＦＣ５００は、レンズ鏡胴内の、被写体光の通過領域を避けるようにレンズ鏡胴１００の固定枠１０１に一部分が固定されており、また、このＦＦＣ５００の接続部５０２の近傍には、図３のＡ部に拡大して示す、絶縁材が一部はぎ取られ、内部のグランド線が剥き出しにされた露出部分５０１が設けられている。尚、撮影レンズ２００の後部には、カメラ筐体内の不図示のシャーシに固定された固定枠１０１が備えられており、この固定枠１０１には、撮像素子４００が固定されている。
【００２８】
ここで、レンズ鏡胴１００の収納および繰出しのための機構およびこれらの動作について、主に図４を参照しながら説明する。
【００２９】
このレンズ鏡胴１００には、上述の固定枠１０１と、その固定枠１０１に対し回転自在な駆動筒１０２が備えられている。この駆動筒１０２は、固定枠１０１に対し回転自在ではあるが、円周方向に設けられた突条１０２ａが、駆動筒１０２の、円周方向に延びる溝に嵌入しており、固定枠１０１に対し光軸に沿った方向への移動は禁止されている。この駆動筒１０２には、その外周面にギア１０２ｂが設けられており、このギア１０２ｂには図示しない駆動ギアが噛合しており、図示しないモータからの駆動力がギア１０２ｂを介して伝達されて駆動筒１０２が回転する。
【００３０】
この駆動筒１０２には、さらに、光軸方向に延びるキー溝１０２ｃが設けられており、このキー溝１０２ｃには、回転移動筒１０３に固設された金属製のカムピン１０４が、固定枠１０１に設けられたカム溝を貫通して入り込んでいる。したがって、駆動筒１０２が回転すると、カムピン１０４がキー溝１０２ｃに入り込んでいるため、駆動筒１０２と一緒に回転移動筒１０３も回転し、さらに、カムピン１０４は、固定枠１０１のカム溝を貫通しているため、駆動筒１０２の回転に伴って回転しながらそのカム溝の形状に従って光軸方向に移動する。
【００３１】
また、回転移動筒１０３の内側には、直進移動枠１０５が設けられている。この直進移動枠１０５は、回転移動筒１０３に対し相対的な回転が自在にその回転移動筒１０３に係合するとともに、固定枠１０１のキー溝１０１ａに嵌入することにより回転が禁止されている。したがってこの直進移動枠１０５は、駆動筒１０２の回転に伴って回転移動筒１０３が回転しながら光軸方向に移動すると、光軸に沿った方向の移動については回転移動筒１０３の移動に伴って一緒に移動する。ただし、この直進移動枠１０５は、固定枠１０１のキー溝１０１ａへの嵌入により回転は禁止されており、回転移動筒１０３の移動に伴って光軸に沿った方向に直進的に移動する。
【００３２】
第２レンズ群２０２は、第２レンズ群保持枠２１２に保持されており、この第２レンズ群保持枠２１２は、その第２レンズ群保持枠２１２に固定された金属製のカムピン２１６が回転移動筒１０３のカム溝に入り込んでいるとともに、直進移動枠１０５の光軸方向に伸びるキー溝１０５ａにも入り込んでいる。したがって、駆動筒１０２の回転に伴って回転移動筒１０３が回転しながら光軸方向に移動すると、第２レンズ群保持枠２１２、およびその第２レンズ群保持枠２１２に保持されている第２レンズ群２０２が、カムピン２１６が嵌入している、回転移動筒１０３のカム溝の形状に沿って、光軸に沿った方向に直進移動する。
【００３３】
また、上述したように、レンズシャッタ３００は第２レンズ群保持枠２１２に、コイルバネ２１３で前方に付勢された状態に取り付けられているため、そのレンズシャッタ３００もその第２レンズ群２０２とともに光軸に沿った方向に移動する。
【００３４】
また、このレンズ鏡胴１００には、第１レンズ群２０１を保持する直進移動筒１０６が備えられている。この直進移動筒１０６は、その直進移動筒１０６に固設された、金属製のカムピン１０７が回転移動筒１０３のカム溝に入り込んでいるとともに、直進移動枠１０５の、光軸に沿った方向に延びるキー溝１０５ａに入り込んでいる。したがって、直進移動筒１０６は、駆動筒１０２の回転に伴って回転移動筒１０３が回転しながら光軸方向に移動すると、カムピン１０７が嵌入している、回転移動筒１０３のカム溝の形状に沿って、光軸に沿った方向に直進移動する。
【００３５】
このようにして、レンズ鏡胴１００の繰出しが行われ、また、駆動筒１０２が逆方向に回転することにより、レンズ鏡胴１００は収納される。
【００３６】
撮影レンズ２００のうちの第３レンズ群２０３は、図示しない駆動源によりリードスクリュ２１４が回転し、第３レンズ群２０３を保持している第３レンズ群保持枠２１５に一体的に保持されたナット２１７がリードスクリュー２１４に螺合していることから、そのリードスクリュー２１４の回転に伴って光軸に沿った方向に移動することでピント調整が行なわれる。また、図３、図４、および図５には、直進移動筒１０６および回転移動筒１０３の前端に金属製のアクセサリカバー６００が備えられている様子が示されている。
【００３７】
図６は、図１に示すカメラの回路構成を示すブロック図である。
【００３８】
このカメラ１には、前述した、撮影レンズ２００、レンズシャッタ３００、レンズシャッタ３００のアクチュエータ３０１および撮像素子４００が備えられている。撮影レンズ２００およびレンズシャッタ３００を経由して撮像素子４００上に結像された被写体像は、撮像素子４００により、アナログの画像信号に変換される。ここで、レンズシャッタ３００は、撮像素子４００からアナログ信号を読み出すにあたり、光によるスミアの発生を抑えるためのものである。
【００３９】
また、ここには補助光発光部１３０が備えられており、この補助光発光部１３０は、低照度時に補助光を発光する。また、この補助光発光部１３０は、低照度以外の必要時にも操作によって発光させることができる。
【００４０】
また、このカメラ１には、アナログ信号処理部５０１と、Ａ／Ｄ（Ａｎａｌｏｇ／Ｄｉｇｉｔａｌ）部５０２と、デジタル信号処理部５０３と、テンポラリメモリ５０４と、圧縮伸長部５０５と、内蔵メモリ５０６と、画像モニタ５０７と、駆動回路５０８とが備えられている。撮像素子４００は、駆動回路５０８内のタイミング発生回路（図示せず）によって発生したタイミングで駆動され、アナログの画像信号を出力する。また、駆動回路５０８には、撮影レンズ２００、レンズシャッタ３００、補助光発光部１３０等を駆動する駆動回路も含まれている。撮像素子４００から出力されたアナログの画像信号は、アナログ信号処理部５０１でアナログ信号処理され、Ａ／Ｄ部５０２でＡ／Ｄ変換されてデジタル信号処理部５０３でデジタル信号処理される。デジタル信号処理された信号を表わすデータはテンポラリメモリ５０４に一時的に格納される。テンポラリメモリ５０４に格納されたデータは、圧縮伸長部５０５で圧縮されて内蔵メモリ５０６に記録される。尚、撮影モードによっては、圧縮の過程を省いて内蔵メモリ５０６に直接記録してもよい。テンポラリメモリ５０４に格納されたデータは画像モニタ５０７に読み出され、これにより画像モニタ５０７に被写体の画像が表示される。
【００４１】
前述したように、このカメラ１には、このカメラ１全体の制御を行なうＣＰＵ５０９と操作スイッチ群５１０とシャッタボタン１４とが備えられており、このカメラ１では、操作スイッチ群５１０の中の電源スイッチをオンすると、レンズ鏡胴１００は、図４に示す最小繰出状態（広角端）となるまで繰り出される。さらに、操作スイッチ群５１０の中のズームスイッチを操作することで、レンズ鏡胴１００は図４に示す最小繰出状態（広角端）と図５に示す最大繰出状態（望遠端）との間で画角変更が可能となる。その後、シャッタボタン１４の押下により、ピント調整がなされて写真撮影が行なわれる。
【００４２】
ここで、本実施形態のカメラ１における、レンズ鏡胴１００の伸縮等によりレンズ鏡胴１００に発生する静電気の処置について説明する。
【００４３】
図７は、本実施形態のカメラの、図５に示す最大繰出状態（望遠端）のレンズ鏡胴の、断面図を一部に含む透視図である。
【００４４】
図７には、シャッタユニット３００のシャッタ機構部３０２を駆動させる、シャッタユニット３００の上部に配備されているアクチュエータ３０１に、レンズ鏡胴内の被写体光の通過領域を避けてカメラ筐体内部から延設されて接続部５０２で接続された、絶縁材で被覆されたＦＦＣ５００が示されている。
【００４５】
また、図７には、レンズ鏡胴１００の、直進移動筒１０６および回転移動筒１０３の前端に金属製のアクセサリカバー６００が備えられている様子が示されている。
【００４６】
このカメラ１では、レンズ鏡胴１００が図５および図７に示す最大繰出状態（望遠端）から図４に示す最小繰出状態（広角端）までの間のいずれにあっても、この露出部分５０１は、レンズ鏡胴１００が図３に示す収納状態にある場合よりも回転移動筒１０３に備えられているアクセサリカバー６００と近接する。
【００４７】
また、このカメラ１では、レンズ鏡胴１００が図５および図７に示す最大繰出状態（望遠端）から図４に示す最小繰出状態（広角端）までの間のいずれにあっても、ＦＦＣ５００を被覆する絶縁材が一部はぎ取られ、内部のグランド線が剥き出しにされた露出部分５０１が、接続部５０２よりも、回転移動筒１０３に備えられているアクセサリカバー６００と近接する。
【００４８】
直進移動筒１０６および回転移動筒１０３に備えられているアクセサリカバー６００に、例えば静電気を帯びた人体が接触すると、レンズ鏡胴内のシャッターユニット３００に対する静電気放電がこのアクセサリカバー６００を介して起こる場合があるが、このカメラ１では、レンズ鏡胴１００が図４に示す広角端と図５および図７に示す望遠端との間のいずれにあっても回転移動筒１０３に備えられているアクセサリカバー６００と露出部分５０１との間の距離が、アクセサリカバー６００と接続部５０２との間の距離よりも短くなっていることから、回転移動筒１０３に備えられているアクセサリカバー６００を介して流れてくる大電流はこの露出部分５０１を通じてグランド線に流れる。これにより、このカメラ１によれば、このレンズ鏡胴ユニットを備えるカメラ筐体内部のＣＰＵ５０９を簡易な構成で静電気から保護することができる。
【００４９】
以上に説明した実施形態では、露出部分５０１を有するＦＦＣ５００がレンズシャッタ３００に接続されている場合を例に挙げたが、本発明では、レンズ鏡胴内に配備されている電気機器であればアイリスを駆動するアクチュエータに接続されていてもよく、また、本発明のケーブルは、グランド電位が付与されるグランド線とグランド電位以外の電位が付与される非グランド線とを有するのであれば、ペアケーブルであってもよい。また、以上に説明した実施形態では、静電気の放電から保護する対象として、カメラ筐体内のＣＰＵ５０９を例に挙げて説明したが、本発明は、静電気の放電により多大なダメージを受ける、撮影装置筐体内の電気機器であれば、この電気機器がＣＰＵに限るものではない。さらに、本発明は、レンズ鏡胴内の電気機器と装置本体の電気機器とがグランド線を有するケーブルで繋がれていれば、ビデオカメラに適用してもよい。
【図面の簡単な説明】
【００５０】
【図１】本発明のレンズ鏡胴ユニットの一実施形態を備えた、本発明の撮影装置の一実施形態の外観斜視図である。
【図２】本発明のレンズ鏡胴ユニットの一実施形態を備えた、本発明の撮影装置の一実施形態の外観斜視図である。
【図３】図１に示す収納状態にあるレンズ鏡胴の、光軸に沿う断面図である。
【図４】最小繰出状態（広角端）にあるレンズ鏡胴の、光軸に沿う断面図である。
【図５】最大繰出状態（望遠端）にあるレンズ鏡胴の、光軸に沿う断面図である。
【図６】図１に示すカメラの回路構成を示すブロック図である。
【図７】本実施形態のカメラの、図５に示す最大繰出状態（望遠端）のレンズ鏡胴の、断面図を一部に含む透視図である。
【符号の説明】
【００５１】
１    カメラ
１０    カメラ筐体
１２    フラッシュ発光窓
１３    ファインダ対物窓
１４    シャッタボタン
１００    レンズ鏡胴
１０１    固定枠
１０２    駆動筒
１０３    回転移動筒
１０５    直進移動枠
１０６    直進移動筒
１０７    カムピン
２００    撮影レンズ
２０１    第１レンズ群
２０２    第２レンズ群
２０３    第３レンズ群
２１２    第２レンズ群保持枠
２１３    コイルバネ
３００    レンズシャッタ
３０１  アクチュエータ
３０２  シャッタ機構部
４００    ＣＣＤ撮像素子
５００    ＦＦＣ
５０１    露出部分
６００    アクセサリカバー
【図１】
2008209428.tif 000003
【図２】
2008209428.tif 000004
【図３】
2008209428.tif 000005
【図４】
2008209428.tif 000006
【図５】
2008209428.tif 000007
【図６】
2008209428.tif 000008
【図７】
2008209428.tif 000009